(57)【要約】【課題】テープ心線に応力集中が起こることなく、スロット本体の強度を確保しつつ細径化を図った光ケーブル用テープ型スロットを提供すること。【解決手段】周面に複数の溝１７が設けられたスロット本体１６と、この溝１７内に収納された積層光ファイバテープ心線１９とを有する光ケーブル用テープ型スロット１２において、この溝１７の断面形状が外側の開口１７ａから平坦な溝底１７ｂに向かって平行側壁部１７ｃと溝幅が漸次減少する傾斜側壁部１７ｄで形成され、かつ溝１７は積層光ファイバテープ心線１９に対して所定の溝幅クリアランスと溝深さクリアランスを有し、溝底１７ｂの幅は光ファイバテープ心線１８の幅以上とすることで細径化を図ること。【選択図】　図２
2004029622.tif 000002
【特許請求の範囲】
【請求項１】
周面に複数の溝が設けられたスロット本体と、該溝内に収納された積層光ファイバテープ心線とを有する光ケーブル用テープ型スロットにおいて、前記溝の断面形状が外側の開口から平坦な溝底に向かって平行側壁部と溝幅が漸次減少する傾斜側壁部で形成され、かつ該溝は該積層光ファイバテープ心線に対して所定の溝幅クリアランスと溝深さクリアランスを有し、前記溝底の幅は光ファイバテープ心線の幅以上である光ケーブル用テープ型スロット。
【請求項２】
前記所定の溝幅クリアランスは０．２〜０．８ｍｍの範囲に、また前記溝深さクリアランスは０．４〜１．２ｍｍの範囲にある請求項１記載の光ケーブル用テープ型スロット。
【請求項３】
前記平行側壁部に対する傾斜側壁部がなす角度の外角が１２°〜３０°の範囲にある請求項１または２に記載の光ケーブル用テープ型スロット。
【発明の詳細な説明】
【０００１】
【産業上の利用分野】
本発明は、周面に複数の溝が設けられたスロット本体と、該溝内に収納された積層光ファイバテープ心線とを有する光ケーブル用テープ型スロットに関する。
【０００２】
【従来の技術】
従来、図５に示すような光ケーブル用テープ型スロットが知られていた。図５はＵ字溝を有する光ケーブルの断面図とその一部拡大図を示したものであり、その光ケーブル１は、テープ型スロット２とその外周に巻き付けた不織布等から成る押え巻層３と、更にその外周を被覆したシース層４とで構成されている。
【０００３】
テープ型スロット２は中心にテンションメンバ５を備えた棒状のスロット本体６の周面に螺旋状の断面がＵ字状の溝７（以下Ｕ字溝という）が１５条設けられ、これら各溝７内にはそれぞれ複数枚のテープ心線８が積層された積層体９が収納されている。
【０００４】
Ｕ字溝７は拡大図に示すように、開口７ａから溝底に向かって平行溝部７ｂとＵ溝部７ｃとで形成されている。そしてＵ溝部７ｃとテンションメンバ５までの距離ａ（谷厚）と、平行溝部７ｂの最下部、即ちＵ溝部７との交差部である点ｐとその隣り合う平行溝部の点ｐまでの距離ｂ（リブ厚）はスロット本体６の強度が低下しないように所定長さ以上に設計されている。
【０００５】
また、溝７内に積層体９を納めたとき、溝幅Ａと積層体９の幅ｔとの差Ａ−ｔ（溝幅クリアランスという）及び溝深さＢと積層体９の高さｈとの差Ｂ−ｈ（溝深さクリアランスという）は所定値になるようにして、テープ心線８の配列乱れや過大な応力が加わることを防いでいる。
【０００６】
そして、従来のテープ型スロット２のＵ字溝７は、Ｕ溝部７ｃが形成されているために、リブ厚ｂを変えることなく積層体９をテープ型スロット２の中心側に谷厚の限界まで寄せることができ、スロット本体６の強度を確保しつつ多心化、ないしは細径化を図ったものである。
【０００７】
【発明が解決しようとする課題】
しかしながら従来のテープ型スロット２は、図５の拡大図に示すように、積層体９の最下部のテープ心線８ａがＵ溝部７ｃと２点ｘ、ｙで接触しているために、積層体９の重量がこの２点にかかり、テープ心線に応力集中が起こり伝送特性が低下する恐れがあった。
【０００８】
本発明は、このような問題点に着目して成されたもので、テープ心線に応力集中が起こることなく、スロット本体の強度を確保しつつ細径化を図った光ケーブル用テープ型スロットを提供することを目的とする。
【０００９】
【課題を解決するための手段】
上記課題を解決するために、本発明の光ケーブル用テープ型スロットは、周面に複数の溝が設けられたスロット本体と、該溝内に収納された積層光ファイバテープ心線とを有する光ケーブル用テープ型スロットにおいて、前記溝の断面形状が外側の開口から平坦な溝底に向かって平行側壁部と溝幅が漸次減少する傾斜側壁部で形成され、かつ該溝は該積層光ファイバテープ心線に対して所定の溝幅クリアランスと溝深さクリアランスを有し、前記溝底の幅は光ファイバテープ心線の幅以上であるようにしたことにある。
これによれば、溝底が平坦であるから最下部のテープ心線の両端心線に過大な集中応力が加わることなく、スロット本体の強度を確保しつつ細径化を図ることができる。
【００１０】
本発明の光ケーブル用テープ型スロットは、前記所定の溝幅クリアランスが０．２〜０．８ｍｍの範囲に、また前記溝深さクリアランスが０．４〜１．２ｍｍの範囲にあることが好ましい。
これによれば、溝幅クリアランス及び溝深さクリアランスを所定値に設定することで、テープ心線の配列が乱れるこがなく、しかも過大な側圧も受けることがない。
【００１１】
本発明の光ケーブル用テープ型スロットは、前記平行側壁部に対する傾斜側壁部がなす角度の外角が１２°〜３０°の範囲にあることが好ましい。
これによれば、リブ厚を確保しながらスロット本体の細径化が実現できる。
【００１２】
【発明の実施の形態】
以下、本発明の実施形態を図１及び図２に基づいて説明する。図１は本発明のテープ型スロットを有する光ケーブルの断面図であり、図２はテープ型スロットに形成した溝の拡大断面図である。
【００１３】
図１、図２において、光ケーブル１０は、テープ型スロット１２とその外周に巻き付けた不織布等から成る押え巻層１３と、更にその外周を被覆したシース層１４とで構成されている。
【００１４】
テープ型スロット１２は中心にテンションメンバ１５を備えた棒状のスロット本体１６の周面に溝１７が１５条設けられ、これら各溝１７内にはそれぞれ複数枚のテープ心線１８が積層された積層体１９が収納されている。テンションメンバ１５には鋼線、鋼撚線、繊維強化プラスチック等の抗張力材が用いられる。
【００１５】
スロット本体１６はポリエチレン等から成り、その周面に形成される溝１７の数は高密度実装のために多い方が望ましく、実施例では１５条であるが少なくとも５条以上が好ましい。光ケーブル１０の機械的強度向上とテープ心線１８の保護のために設けられるシース層１４は低密度ポリエチレンで形成されている。
【００１６】
スロット本体１６に添って形成される溝１７は、螺旋溝やＮＺ溝など光ケーブルとして使用される各種溝を含み、本実施例においては螺旋溝として説明する。図２に示すように、溝１７の断面形状は、外側の開口１７ａから平坦な溝底１７ｂに向かって、平行側壁部１７ｃと溝幅が漸次減少する傾斜側壁部１７ｄで形成され、溝底１７ｂの幅はテープ心線１８の幅かそれ以上の幅を有している。
【００１７】
溝１７内に積層体１９を納めたとき、溝幅Ａと積層体１９の幅ｔとの差Ａ−ｔ（溝幅クリアランス）及び溝深さＢと積層体１９の高さｈとの差Ｂ−ｈ（溝深さクリアランス）が小さ過ぎると、溝内に収納されているテープ心線１８の配列が乱れたり、過大な応力が加わる恐れがあるので、溝幅クリアランスを０．２から０．８ｍｍに設定し、溝深さクリアランスを０．４から１．２ｍｍに設定した。
【００１８】
また、スロット本体１６の強度を確保するために、谷厚を０．６ｍｍ以上とし、リブ厚を０．９ｍｍ以上となるようにした。そして押え巻層１３として使用する不織布は通常厚さ０．１８ｍｍのものを使用し、シース層１４の厚さは１．５から２．５ｍｍで必要な機械的強度が得られるように設計されている。
【００１９】
以下、図３及び図４により本発明の光ケーブルの各寸法パラメータを設定した実施例１と従来のＵ字溝を有する光ケーブル（比較例１）とを対比し、本発明の細径化の効果を明らかにする。図３は本発明の実施例１の溝断面図に諸寸法を記入したものであり、図４は比較例１の溝断面図に諸寸法を記入したものである。
【００２０】
具体的に使用した光ケーブルの諸元は、実施例１及び比較例１ともテープ心線の厚さが０．３２ｍｍ、幅１．１ｍｍで、４心のものを５枚重ねにし、１５個設けた溝に納めた計３００心テープ型スロットで、テンションメンバは径２．１ｍｍの鋼線とし、リブ厚さを０．９ｍｍにし、各溝の諸寸法は表１に示すとおりである。
【表１】
2004029622.tif 000003
【００２１】
実施例１に示すθは平行側壁部と傾斜側壁部とのなす角αの外角であり、θ＝１８０−αで表され、３０°に設定した。一方比較例１のＵ溝部の曲率半径Ｋは０．７２５ｍｍとした。図３と図４を比較してわかるように、図４の下方円弧部が作る深さＬだけ従来のＵ字溝は長く形成され、その分本発明はスロット本体の径を細径にすることができる。またθを１２°にしたときはθが３０°の時に比べ更に０．８ｍｍ細径化できた。
【００２２】
次に、テープ心線の厚さが０．３２ｍｍ、幅２．２ｍｍで、８心のものを１０枚重ねにし、１３個設けた溝に納めた計１０４０心テープ型スロットについて、本発明の溝を有する実施例２とＵ字溝を有する比較例２を製作し、比較検討した。なお、テンションメンバは共に径１．２ｍｍの鋼線を７本用い、リブ厚さは１．２ｍｍにし、各溝の諸寸法は表２に示すとおりであり、実施例２のθは３０°と１４°とし、比較例２のＵ溝部の曲率半径Ｋは０．７２５ｍｍとした。
【表２】
2004029622.tif 000004
【００２３】
比較例２に比べ本実施例２においても同様に細径化することができ、そしてθを１４°にしたときはθが３０°の時に比べ更に０．５ｍｍ細径化できた。
【００２４】
【発明の効果】
本発明は以下の効果を奏する。
【００２５】
（ａ）請求項１の発明によれば、溝底が平坦であるからテープ心線に過大な集中応力が加わることなく、スロット本体の強度を確保しつつ細径化を図ることができる。
（ｂ）請求項２の発明によれば、溝幅クリアランス及び溝深さクリアランスを所定値に設定することで、テープ心線の配列が乱れるこがなく、しかも過大な側圧も受けることがない。
（ｃ）請求項３の発明によれば、リブ厚を確保しながらスロット本体の細径化が実現できる。
【図面の簡単な説明】
【図１】本発明のテープ型スロットを有する光ケーブルの断面図である。
【図２】テープ型スロットに形成した溝の拡大断面図である。
【図３】本発明の実施例１の溝断面図に諸寸法を記入したものである。
【図４】比較例１の溝断面図に諸寸法を記入したものである。
【図５】Ｕ字溝を有する従来の光ケーブルの断面図とその一部拡大図である。
【符号の説明】
１，１０・・・光ケーブル
２，１２・・・テープ型スロット
３，１３・・・押え巻層
４，１４・・・シース層
５，１５・・・テンションメンバ
６，１６・・・スロット本体
７・・・溝（Ｕ字溝）
７ａ・・・開口
７ｂ・・・平行溝部
７ｃ・・・Ｕ溝部
８，１８・・・テープ心線
８ａ・・・最下部のテープ心線
９，１９・・・積層体
１７・・・溝
１７ａ・・・開口
１７ｂ・・・溝底
１７ｃ・・・平行側壁部
１７ｄ・・・傾斜側壁部
【図１】
2004029622.tif 000005
【図２】
2004029622.tif 000006
【図３】
2004029622.tif 000007
【図４】
2004029622.tif 000008
【図５】
2004029622.tif 000009